(57)【要約】      （修正有）【課題】快感を維持しつつも簡便に使用でき、外れにくい男性用避妊具を提供すること。【解決手段】薄板状の本体部２は弾性変形可能に構成されている。本体部２が弾性変形可能に構成されていることにより、男性用避妊具１を男性器の亀頭に簡便に貼付することができ、かつ男性器の亀頭に貼付させたときに外れにくい。男性用避妊具１を男性器の亀頭に貼付させることで、男性用避妊具１は外れにくく、かつ体液が外部に漏出しにくい。【選択図】図１
2018175186.tif 000002
【特許請求の範囲】
【請求項１】
男性器の亀頭に貼り付けて使用する男性用避妊具であって、
薄板状の本体部と、
その本体部に設けられた袋部と、を備え、
前記本体部は弾性変形可能に構成され、
その本体部の一方の面に粘着層が設けられ、
前記本体部の他方の面に前記袋部が配置され、
前記本体部には、前記袋部に連通する貫通孔が設けられていることを特徴とする、男性用避妊具。
【請求項２】
前記本体部が可撓性材料により構成されている、請求項１に記載の男性用避妊具。
【請求項３】
前記本体部が略楕円形であることを特徴とする、請求項１又は２に記載の男性用避妊具。
【請求項４】
前記貫通孔が縦長な形状である、請求項１〜３の何れか１項に記載の男性用避妊具。
【請求項５】
前記貫通孔が、その貫通孔の長手方向に１０〜２０ｍｍ、幅方向に２〜８ｍｍ、の大きさである、請求項４に記載の男性用避妊具。
【請求項６】
前記本体部が、男性器に貼り付けたとき、男性器の外尿道口下端から陰茎にかかる部分の溝に略一致する凸型形状をなす弾性変形可能な貼付補助部を有する、請求項１〜５の何れか１項に記載の男性用避妊具。
【請求項７】
前記貫通孔が縦長な形状であって、
前記貼付補助部が前記貫通孔の長手方向に位置する、請求項６に記載の男性用避妊具。
【発明の詳細な説明】
【技術分野】
【０００１】
本発明は男性用避妊具に関する。
【背景技術】
【０００２】
男性用避妊具は、陰茎の根元近くまで被覆させ使用するものが一般的である。しかし、一般的な男性用避妊具は、陰茎の根元近くまで被覆させることで避妊などの目的は達せられるものの、陰茎全体が被覆されているため、性交時の快感が劣るものであった。また、従来のコンドームは長いため、陰茎の装着と脱着に手間を要するものであった。
【０００３】
従来技術として、亀頭に被せて使用する男性用避妊具が開示されている（特許文献１、２）。
【０００４】
また、亀頭に貼付させ使用する男性用避妊具も知られている（特許文献３）。
ここで、特許文献３に記載の男性用避妊具は、女性器内で取れてしまった場合、簡単に取り出せるようにするため、紐を付け、その先にリングになっているゴムが取り付けてある。
【０００５】
そして、特許文献４には、柔軟な素材よりなる貼付用シートを亀頭に貼付させ使用する男性用避妊具が開示されている。
【先行技術文献】
【特許文献】
【０００６】
【特許文献１】特開２００２−２８１７４号公報
【特許文献２】特開平５−３１７３４９号公報
【特許文献３】特開２００１−３４０３７２号公報
【特許文献４】実開昭６２−１２２６１７号公報
【発明の概要】
【発明が解決しようとする課題】
【０００７】
特許文献４に記載の男性用避妊具は柔軟な素材よりなる貼付用シートであるため、貼付に手間がかかり、使用に不便なものであった。また、貼付時のシートのしわから体液が漏れ出る危険があった。
【０００８】
このような状況に鑑み、本発明の解決しようとする課題は、快感を維持しつつも簡便に使用でき、外れにくい男性用避妊具を提供することにある。また、本発明は特に、体液が外部に漏出しにくい男性用避妊具を提供することを課題とする。
【課題を解決するための手段】
【０００９】
上記課題を解決する本発明は、男性器の亀頭に貼り付けて使用する男性用避妊具であって、
薄板状の本体部と、
その本体部に設けられた袋部と、を備え、
前記本体部は弾性変形可能に構成され、
その本体部の一方の面に粘着層が設けられ、
前記本体部の他方の面に前記袋部が配置され、
前記本体部には、前記袋部に連通する貫通孔が設けられていることを特徴とする。
【００１０】
本発明の男性用避妊具は、弾性変形可能に構成された本体部を備えた男性用避妊具であるため、簡便に亀頭へ貼付することができ、かつ外れにくい。そして、本体部が弾性変形可能に構成されているため、貼付時に本体部にしわが生じず、体液が漏れ出る危険が少ない。
【００１１】
また、本発明の男性用避妊具は、本体部が可撓性材料により構成されている形態とすることが好ましい。
【００１２】
また、本発明の男性用避妊具は、本体部の形状を略楕円形とすることが好ましい。本体部を略楕円形とすることで亀頭に簡便に貼付することができ、かつ外れにくい。
【００１３】
また、本発明の男性用避妊具は、前記貫通孔が縦長な形状であることが好ましい。貫通孔が縦長な形状であることで、袋部に一度入った体液が漏れだしにくい。
【００１４】
また、本発明の男性用避妊具は、前記貫通孔が縦長な形状であるときに、前記貫通孔の大きさが、その貫通孔の長手方向に１０〜２０ｍｍ、幅方向に２〜８ｍｍ、であることが好ましい。前記貫通孔が縦長な形状であるときに、前記貫通孔の大きさを前記範囲とすることで、男性器の外尿道口に本体部が被さることがない。
【００１５】
また、前記本体部が、男性器に貼り付けたとき、男性器の外尿道口下端から陰茎にかかる部分の溝に略一致する凸型形状をなす弾性変形可能な貼付補助部を有する形態であることが好ましい。このような形態とすることで、男性用避妊具が男性器の外尿道口下端から陰茎にかかる部分の溝に略密着するため、体液が外部に漏出しにくい。
【００１６】
また、前記貫通孔が縦長な形状であるときに、前記貼付補助部が前記貫通孔の長手方向に位置する形態であることが好ましい。前記貫通孔が縦長な形状であるときに、前記貼付補助部が前記貫通孔の長手方向に位置する形態であることで、体液が外部に漏出しにくい。
【発明の効果】
【００１７】
本発明によれば、快感を維持しつつも簡便に使用でき、かつ外れにくい男性用避妊具を提供することができる。
また、本発明の好ましい形態によれば、体液が外部に漏出しにくい男性用避妊具を提供することができる。
【図面の簡単な説明】
【００１８】
【図１】実施例の男性用避妊具の正面（ａ）、右側面（ｂ）、背面（ｃ）を示す図である。
【図２】実施例の男性用避妊具の底面を示す図である。
【図３】実施例の男性用避妊具の斜視図である。
【図４】実施例の男性用避妊具の貼付方法を表す図である。
【図５】実施例の男性用避妊具に設けられた貼付補助部の貼付方法を表す図である。
【発明を実施するための形態】
【００１９】
以下、本発明の実施例について説明するが、本発明の技術的範囲は実施例に限定されないことは言うまでもない。
【００２０】
本実施例の男性用避妊具１は、薄板状の本体部２と、本体部２に設けられた袋部３とを備える（図１  参照）。
【００２１】
以下、本体部２について図１〜３を用いて説明する。
【００２２】
本実施例において、薄板状の本体部２は弾性変形可能に構成されている。本体部２が弾性変形可能に構成されていることにより、男性用避妊具１を男性器の亀頭４に簡便に貼付することができ、かつ男性器の亀頭４に貼付させたときに外れにくい。
【００２３】
ここで、弾性変形可能とは、外力によって変形することができるが、外力を取り除いたときに元の形状に復元できることを意味する。
【００２４】
また、本体部２は可撓性材料により構成されていることが好ましい。可撓性材料としては、例えば、加硫ゴム、熱可塑性エラストマー、熱可塑性樹脂等を挙げることができる。中でも、本体部２は熱可塑性樹脂により構成されていることが好ましく、熱可塑性樹脂としては、例えばＰＥ系樹脂、ＰＰ系樹脂、ＰＣ系樹脂、ＡＢＳ系樹脂、ポリアミド系樹脂、ポリエステル系樹脂等を挙げることができる。これらの中でも、ＰＥ系樹脂、ＰＰ系樹脂、ＰＣ系樹脂により本体部２が構成されていることが、貼付の簡便さに観点から好ましい。
【００２５】
また、本実施例において本体部２は略楕円形に成形されている。本体部２が略楕円形である男性用避妊具１は、簡便に貼付でき、かつ外れにくい。ただし、該本体部２の平面形状に特に制限はなく、正方形、長方形、台形、菱型等の四角形、三角形、円形、楕円形等の何れであってもよい。
【００２６】
また、貼付の簡便さの観点から、薄板状の本体部２の厚みは０．３ｍｍ以上、好ましくは０．４ｍｍ以上、より好ましくは０．５ｍｍ以上であることが好ましい。
【００２７】
また、男性用避妊具１の外れにくさの観点から、薄板状の本体部２の厚みは５ｍｍ以下、好ましくは３ｍｍ以下、より好ましくは１．５ｍｍ以下、さらに好ましくは１．１ｍｍ以下であることが好ましい。
【００２８】
そして、本実施例において、本体部２は亀頭４に対する貼り付け面（一方の面）を有し、貼り付け面（一方の面）には粘着層２１が設けられている。貼り付け面（一方の面）に粘着層２１が設けられていることにより、本発明の男性用避妊具１を男性器の亀頭４に貼り付けて使用することができる（図４参照）。
【００２９】
粘着層２１は、人体に直接触れても有害でない材料からなるものであれば特に制限はなく、例えばアクリル系粘着剤、ポリウレタン系粘着剤、天然ゴム系粘着剤、シリコン系粘着剤、水溶性高分子を主成分とする粘着剤などが挙げられる。
【００３０】
また、本発明において、本体部２は、男性器の外尿道口４１の下端から陰茎５にかかる部分の溝に略一致する貼付補助部２３を有する形態とすることが好ましい（図１（ｂ）、図５（ｂ）参照）。
【００３１】
ここで、貼付補助部２３は凸型形状に成形されている。凸型形状とすることにより、男性用避妊具１が男性器の外尿道口４１の下端から陰茎５にかかる部分の溝に略密着するため（図５（ｂ）参照）、体液が外部に漏出しにくい。
【００３２】
また、本実施例において、貼付補助部２３は弾性変形可能に構成されている。貼付補助部２３が弾性変形可能に構成されていることにより、男性器の外尿道口４１の下端から陰茎５にかかる部分の溝に貼付補助部２３を略密着させることができるため、体液の漏出を防ぐことができる。
【００３３】
そして、貼付補助部２３は可撓性材料により構成されていることがより好ましい。可撓性材料としては、例えば、加硫ゴム、熱可塑性エラストマー、熱可塑性樹脂等を挙げることができる。中でも、貼付補助部２３は熱可塑性樹脂により構成されていることが好ましく、熱可塑性樹脂としては、例えばＰＥ系樹脂、ＰＰ系樹脂、ＰＣ系樹脂、ＡＢＳ系樹脂、ポリアミド系樹脂、ポリエステル系樹脂等を挙げることができる。これらの中でも、ＰＥ系樹脂、ＰＰ系樹脂により貼付補助部２３が構成されていることが好ましい。
【００３４】
なお、貼付補助部２３を有する本体部２は、一体成型されている形態であってもよく、また、複数の部品を組み合わせ形成される形態であってもよい。
【００３５】
以下、袋部３について、図１〜３を用いて説明する。
【００３６】
本実施例において、袋部３は本体部２の貼り付け面（一方の面）の反対面（他方の面）に設けられている（図１  参照）。
袋部３は、非透水性材料により構成されていることが好ましい。非透水性材料としては、例えば、ＰＥ系樹脂を挙げることができる。
【００３７】
袋部３は、その形状にも特に制限はなく、例えば、膨らましたときに、角柱や直方体等の立体形状の袋、略球形状の袋の何れであってもよい。中でも、膨らましたときに、略球形状の袋であることが好ましい。
また、袋部３の大きさに特に制限はない。
【００３８】
なお、本実施例において、男性用避妊具１の袋部３と本体部２とは異なる部品を組み合わせることにより形成されている。ただし、本発明の男性用避妊具１は、袋部３と本体部２とが一体成型されていてもよい。
【００３９】
図２（ａ）に示すように、本体部２には貫通孔２２が設けられている。貫通孔２２は、本体部２の中央に設けられていることが好ましい。また、本体部２の貫通孔２２は袋部３に連通している。
【００４０】
本実施例において本体部２に設けられた貫通孔２２は縦長な形状である（図２（ａ）参照）。貫通孔２２が縦長な形状であることで、袋部３に入った体液が漏出しにくくなる。また、該貫通孔２２の平面形状にも特に制限はなく、正方形、長方形、台形、菱型等の四角形、三角形、円形、楕円形等の何れであってもよい。
【００４１】
また、貫通孔２２の大きさにも特に制限はないが、貫通孔２２が縦長な形状であるとき、長手方向に好ましくは１０〜２０ｍｍ、より好ましくは１２〜１８ｍｍ、さらに好ましくは１４〜１６ｍｍ、また幅方向に好ましくは２〜８ｍｍ、より好ましくは３〜６ｍｍ、さらに好ましくは４〜５ｍｍである。
【００４２】
また、図２に示すように貫通孔２２が縦長な形状であるとき、貼付補助部２３は、貫通孔２２の長手方向に位置する。ただし、貫通孔２２が縦長な形状であるとき、貼付補助部２３が貫通孔２２の幅方向に位置する形態であっても良い。
【００４３】
以下、図４、図５を参照し、本実施例の男性用避妊具１の使用方法について、詳述する。
【００４４】
男性用避妊具１は、貼り付け面（一方の面）に設けられた粘着層２１を男性器の亀頭４に貼付させ使用する。この際、本体部２に設けられた貫通孔２２が男性器の外尿道口４１に連通するよう貼付する。また、男性用避妊具１が貼付補助部２３を有する場合には、貼付補助部２３を外尿道口４１の下端から陰茎５にかかる部分の溝にあてがうよう貼付する（図５（ｂ）  参照）。
【００４５】
このように本実施例の男性用避妊具１を男性器の亀頭４に貼付させることで、本実施例の男性用避妊具１は外れにくく、かつ体液が外部に漏出しにくい。
【産業上の利用可能性】
【００４６】
本発明によれば、快感を維持しつつも簡便に使用でき、外れにくい男性用避妊具を提供することができる。
【符号の説明】
【００４７】
１    男性用避妊具
２    本体部
２１  粘着層
２２  貫通孔
２３  貼付補助部
３    袋部
４    亀頭
４１  外尿道口
５    陰茎
【図１】
2018175186.tif 000003
【図２】
2018175186.tif 000004
【図３】
2018175186.tif 000005
【図４】
2018175186.tif 000006
【図５】
2018175186.tif 000007